(57)【特許請求の範囲】
【請求項１】
防水材層が経年劣化した陸屋根の上に、波板等の屋根葺材を、チャンネル材を介して取付ける等の工法の為の、チャンネル材の取付構造であって、
既設のコンクリート製の陸屋根や壁体等の基盤Ｃに植設したスタッドボルトＥと、
スタッドボルトＥによって基盤Ｃに取付けられ、チャンネル材Ｂを嵌合状態で受支持する受金具Ａとを備えており、受金具Ａは、
金属帯板を上向きコ字形に折曲した如き形状を成して、その底面１ａにスタッドボルトＥを通すボルト孔３を設けた受溝部１と、
底面１ａの下側に一体に連結した角筒状の脚部２とを備えており、
その開口部ｂを下向きにして受溝部１内に嵌め込ませたチャンネル材Ｂを、溶接により受溝部１に固定させたことを特徴とする陸屋根等へのチャンネル材の取付構造。
【発明の詳細な説明】
【０００１】
【発明の属する技術分野】
本発明は、例えば、コンクリート製の陸屋根の上面に施工した防水材層が、経年劣化した時に、新しい防水材層に取替える代わりに、その上面に、波板等の耐久性にすぐれた屋根葺材を葺き重ねる工法を採用した場合の、屋根葺材の取付ベースとなるチャンネル材を、陸屋根上等に固定させる為の取付構造に関する。
【０００２】
【従来の技術】
防水材層が老化した陸屋根を補修するのに、従来は、傷んだ防水シート等の防水材層を剥がしたうえ、新しい防水シートに張替える方法が、一般的に採られて来た。その場合に、古い防水シートを剥がす手間を省いて、その上に新しい防水シートを貼り重ねる方法も採られて来た。
ところが、従来の防水施工層の耐久性は、建物の寿命に比べればかなり短いので、その補修作業は、かなり頻繁に繰返す必要があった。
又、新しい防水シートを、古い防水シートの上に重ねて設けた場合に、両者がなじみ難い問題もあった。
【０００３】
一方、工場や倉庫等の古いスレート葺き屋根等が傷んだ場合には、この古い屋根材を剥がす手間を省いて、その上に、金属波板等の新しい屋根葺材を葺き重ねる工法がしばしば採用されて来た。
【０００４】
そこで、コンクリート製陸屋根に就いても、老化した防水材層はそのままにし置き、その上に、耐久性の優れた屋根葺材を、上記の工場等の場合と同様に葺き重ねれば、陸屋根の補修回数を大幅に減らすことが可能になる。
或いは、新築建物の場合は、陸屋根の雨仕舞工法として、従来の防水施工に代えて、上記の屋根葺材を葺き重ねる工法を流用することも考えられる。
【０００５】
ところが、コンクリート製の陸屋根は、スレート等の屋根葺材とは較べものにならない程厚みがあるので、屋根葺材を固定させる方法に、はたと困惑することになる。
もっとも、コンクリート釘や、既設のコンクリート構造物に埋設する為の特殊なスタッドボルトを使う方法も考えられる。
然し、台風の襲来等を考えれば、既存のコンクリート釘やスタッドボルトでは、その耐引抜強度が極め不足する。
【０００６】
そこで、本願発明者は、屋根葺材の取付用のスタッドボルトを、既設のコンクリート製の陸屋根等に強固・確実に植設する等の目的に好適した、スタッドボルトの能率的な植設工法を創案し、先に、「特願平９−３４８０２６」として特許出願している。
【０００７】
以下に、この先願発明の概略内容を、図６によって説明する。
先ず、厚い陸屋根Ｃにボルト孔ｃを穿つ。そして、ゴム袋１２をその下端に括り付けたパイプ１１を、ボルト孔ｃに挿し込み、陸屋根Ｃの裏側に突出させたゴム袋１２の中に、反応硬化性の合成樹脂原液１３を注入したうえ、スタッドボルトＥを落とし込む。
すると、樹脂の硬化に伴って、スタッドボルトＥの下端に抜止用の樹脂製ボルト頭１４が形成される。１５は、パイプ１１の上端に螺着した、落下止め用のナットである。
【０００８】
この様にすれば、陸屋根Ｃの下側の天井裏からは、スタッドボルトＥを挿し込めない状況にあっても、陸屋根Ｃの上側から、迅速・強固にスタッドボルトＥを植設することが出来る。
【０００９】
然る後、屋根葺材（図示略）の取付用ベースとなるチャンネル材Ｂを、スタッドボルトＥに挿通させた略Ｌ形の押さえ金具１６とナット１７によって、陸屋根Ｃの上面の所定位置に固定させる。
【００１０】
【発明が解決しようとする課題】
然しながら、上記の先発明工法によると、図６に示した様に、屋根葺材の取付ベースとなるチャンネル材Ｂの頂面に、ボルトＥ、ナット１７、及び押さえ金具１６が突出した状態になる。
その為、本発明の実施例図としての図４から理解される様に、これ等の突出物が、チャンネル材Ｂの上面に、屋根葺材の取付金具（タイトフレーム）Ｆを取付ける作業を妨げることになる。
【００１１】
又、陸屋根の上面は、屋根面全体としては平坦であるが、局部的に見れば、或る程度凹凸がある。それに対して、チャンネル材Ｂを簡単に水平に取付られる様にする為の対策が、上記の先願発明では不十分である。
更に、屋根葺工事の途中で雨が降れば、場所が既設建物の屋根であるだけに、ボルト孔からの漏水対策も大きな問題になる。
【００１２】
そこで、本発明の目的は、例えば、コンクリート製の陸屋根の上面の防水材層が経年劣化した時に、波板等の屋根葺材を、チャンネル材を介して陸屋根の上に葺き重ねる工法を採用した場合に、これ等の問題に容易に対処出来て、屋根葺作業を極力迅速・確実に行える様にする為の、チャンネル材の取付構造を提供するにある。
【００１３】
【課題を解決するための手段】
上記の目的を達成する為の、本発明による陸屋根等へのチャンネル材の取付構造は、防水材層が経年劣化した陸屋根の上に、波板等の屋根葺材を、チャンネル材を介して取付ける等の工法の為の、チャンネル材の取付け構造であって、既設のコンクリート製の陸屋根や壁体等の基盤Ｃに植設したスタッドボルトＥと、スタッドボルトＥによって基盤Ｃに取付けられ、チャンネル材Ｂを嵌合状態で受支持する受金具Ａとを備えており、受金具Ａは、金属帯板を上向きコ字形に折曲した如き形状を成して、その底面１ａにスタッドボルトＥを通すボルト孔３を設けた受溝部１と、底面１ａの下側に一体に連結した角筒状の脚部２とを備えており、その開口部ｂを下向きにして受溝部１内に嵌め込ませたチャンネル材Ｂを、溶接により受溝部１に固定させたことを特徴とする。
【００１４】
【発明の実施の形態】
以下に、本発明の一実施例に就いて、図１〜図５を参照しながら説明する。
本発明と、その先願発明である、既述の「特願平９−３４８０２６」との主たる相異点は、図６に示した従来の押さえ金具１６に替えて、図１〜図３に示した受金具Ａを用いたところにある。
【００１５】
図４に、この受金具Ａを用いて、防水材層が経年劣化した鉄筋コンクリート製の陸屋根（基盤）Ｃの上に、波板状の屋根葺材Ｄを、その取付ベース（骨組材）となるチャンネル材Ｂを介して葺き重ねた状態を、部分縦断面図として示した。
【００１６】
図４中のＥは、前記先願発明の工法によって、陸屋根Ｃの上面に植設したスタッドボルトである。
Ｆは、チャンネル材Ｂ上に固着されて、屋根葺材Ｄを直接支持する支持金具（タイトフレーム）で、金属帯板を、屋根葺材Ｄの波打形状合わせて折曲させた如き形態を備えている。
又、Ｈは、陸屋根Ｃの上に所定間隔を隔てて並列状に配置した木製角材で、葺いた屋根の荷重を確実に受け支える。そして、陸屋根Ｃの上側に、断熱用空隙を形成させる。
【００１７】
図５は、図４のＹ−Ｙ線に沿う縦断面図である。
陸屋根Ｃ上にスタッドボルトＥを植設する工法に就いては、「従来の技術」の項で説明済みなので、ここでは省略する。
【００１８】
受金具Ａは、所定の形状に裁断した１枚の金属板（図示略）を折曲加工して、図１に示した立体形状に形作られている。
即ち、図５に示した様に、チャンネル材Ｂを、その開口部ｂを下向きにした状態で完全に嵌め込ませる為の、上向きコ字形をした受溝部１と、その底面１ａの下側に一体に連設した角筒状の脚部２とを備えている。
【００１９】
底面１ａには、スタッドボルトＥを通す長ボルト孔３を設けている。
角筒状の脚部２は、図１から理解される様に、底面１ａの両側端から夫々直角に下向きに延びる対向側面２ａ，２ａと、各対向側面２ａの一方の側端から夫々直角に横向きに延びて、別の対向側面２ａに達する対向側面２ｂ，２ｂとから成る。
【００２０】
次に、受金具Ａを使って、陸屋根Ｃ上にチャンネル材Ｂを固定させるには、図５に示した様に、陸屋根Ｃ上の所定位置に植設済みのスタッドボルトＥに、受金具Ａの底面１ａの長ボルト孔３を挿通させる。
そして、受金具Ａを正しく位置決めしたうえ、スタッドボルトＥに螺着したナット４を締結すれば、陸屋根Ｃ上に受金具Ａを固定させる作業は簡単・迅速に終わる。
【００２１】
次に、陸屋根の上に多数本の木製角材Ｈを、チャンネル材Ｂに対して直交方向に、所定の間隔を距てて並列状に配設する。
然る後、各受金具Ａの受溝部１内に、チャンネル材Ｂを落とし込む。
【００２２】
その際に、陸屋根Ｃが局部的にくぼんだ箇所があれば、その箇所では、図５中に仮想線で示した様に、チャンネル材Ｂの下面は、受溝部１の底面１ａ迄落ち込まず、浮き上がった状態となって、チャンネル材Ｂは水平に保たれる。
【００２３】
そして、この様な状態で受溝部１内に収まったチャンネル材Ｂを、側壁１ｂに溶接すれば、陸屋根Ｃ上の所定位置にチャンネル材Ｂを固定させる作業は完結する。符号Ｇは、この溶接箇所を示している。
同様にして、多数本のチャンネル材Ｂを、互いに所定間隔を隔てて並列状に、木製角材Ｈ群の上に直交状に配設する。
【００２４】
然る後、このチャンネル材Ｂ群の上に屋根葺材Ｄを葺く工法は、周知の従来工法と格別に異なることろは無い。
即ち、先ず、図４に示した様に、各チャンネル材Ｂの上面の全長にわたって、屋根葺材ＤのタイトフレームＦを、溶接して固定させる。
【００２５】
この取付作業の際に、図６に示した従来工法とは異なって、チャンネル材Ｂの上面には、スタッドボルトＥや、押さえ金具１６等の、邪魔な突出物が全く存在しない（図５参照）。
その為、支持金具Ｆの取付作業を、正確・迅速に、且つ、容易に行うことが出来る。
【００２６】
支持金具Ｆを取付けを終えたら、図４に示した様に、その上に屋根葺材Ｄを被せ、支持金具の各山部に突設したボルト５と、ナット６によって、屋根葺材Ｄと、支持金具Ｆとの各山部を互いに強固に接合させれば、屋根葺作業は完了する。
【００２７】
若し、チャンネル材Ｂの取付作業、及び屋根葺材Ｄ葺き作業の途中で雨が降っても、陸屋根Ｃに穿ったボルト孔ｃは、受金具Ａの受溝部１及び角筒状の脚部２で包囲されているので、屋根裏への漏水の恐れは無い。
漏水の恐れを確実に無くすには、その恐れのある箇所に、コーキング材（図示略）を施せばよい。
【００２８】
尚、チャンネル材Ｂを取付ける基盤は、陸屋根Ｃに限られず、例えば、コンクリート製の壁体等であってもよい。
【００２９】
【発明の効果】
以上の説明によって明らかな様に、本発明による陸屋根等へのチャンネル材の取付構造によれば、以下に列挙した如き実用上の優れた効果が得られる。
（ａ）  屋根葺材の取付ベースとなるチャンネル材の上面には、従来技術とは異なって、その固定用のボルト・ナットや金具の類が突出せず、全く平坦である。  （ｂ）  その為、チャンネル材の上面への、タイトフレームの取付作業を、迅速・正確に行うことが出来る。
（ｃ）  チャンネル材は、溶接前は、受溝部内を上下動自在なので、陸屋根の上面に局部的な凹凸があっても、この陸屋根上に、簡単に水平に取付けられる。
（ｄ）  陸屋根に設けたボルト孔は、受金具の受溝部と角筒状の脚部に包囲されているので、工事途中に降雨があっても、コーキング材を併用することによって、雨仕舞を心配しなくて済む。
（ｅ）受金具は、１枚の金属板から能率的に量産出来る。
【図面の簡単な説明】
【図１】本発明の一実施例を示すもので、受金具の斜視図である。
【図２】同上、受金具の正面図である。
【図３】同上、受金具の側面図である。
【図４】同上、防水材層が経年劣化した陸屋根の上に、チャンネル材を介して屋根葺材を葺いた状態を示す、部分縦断面図である。
【図５】同上、チャンネル材を、押さえ金具を使って陸屋根上に固定させた状態を示す縦断面図である。
【図６】従来例を示すもので、チャンネル材を、押さえ金具を使って陸屋根上に固定させた状態を示す縦断面図である。
【符号の説明】
Ａ  受金具
Ｂ  チャンネル材
Ｃ  陸屋根（基盤）
Ｄ  屋根葺材
Ｅ  スタッドボルト
Ｆ  タイトフレーム（支持金具）
Ｇ  溶接箇所
Ｈ  木製角材
１  受溝部
１ａ  底面
１ｂ  側壁
２  脚部
２ａ，２ｂ  対向側面
３  長ボルト孔
４  ナット
５，６  ボルト・ナット
１１  パイプ
１２  ゴム袋
１３  合成樹脂原液
１４  樹脂製ボルト頭
１５  ナット
１６  押さえ金具
１７  ナット
【図１】
0003559504.tif 000002
【図２】
0003559504.tif 000003
【図３】
0003559504.tif 000004
【図４】
0003559504.tif 000005
【図５】
0003559504.tif 000006
【図６】
0003559504.tif 000007